(57)【要約】【課題】  簡素な構造、形態からなり、人間の手への装着、取り外しが簡単が、身体の機能に障害を有する人であっても簡単に使用できる物品保持用補助具を提案する。【解決手段】  帯状部材の一端側の一面側に、長手方向の所定の長さに渡って掛着部材が設けられていると共に、帯状部材の他端側の前記一面側に、帯状部材の長手方向に交差するように、中央に帯状部材の前記一端側が挿通可能な溝部を有する掛止環の一側が、当該溝部を間に挟んで対向する当該掛止環の他側が帯状部材の前記一面側において帯状部材の前記一面から離れて存在するように帯状部材の前記一面側に取り付けられており、帯状部材の前記一面側における掛着部材が設けられている部分と、掛止環が取り付けられている位置との間に、帯状部材の長手方向に沿って延びる挿通孔を少なくとも１個以上有する第一の物品保持部と、帯状部材の長手方向に交差する方向に延びる挿通孔を少なくとも１個以上有する第二の物品保持部とが配備されている物品保持用補助具。【選択図】  図４
0003103877.tif 000002
【実用新案登録請求の範囲】
【請求項１】
長手方向に延びる帯状部材からなる物品保持用補助具であって、
当該帯状部材の一端側の一面側に、前記長手方向の所定の長さに渡って掛着部材が設けられていると共に、
当該帯状部材の他端側の前記一面側に、当該帯状部材の前記長手方向に交差するように、中央に当該帯状部材の前記一端側が挿通可能な溝部を有する掛止環の一側が、当該溝部を間に挟んで対向する当該掛止環の他側が当該帯状部材の前記一面側において当該帯状部材の前記一面から離れて存在するように、当該帯状部材の前記一面側に取り付けられており、
当該帯状部材の前記一面側における前記掛着部材が設けられている部分と、前記掛止環が取り付けられている位置との間に、当該帯状部材の前記長手方向に沿って延びる挿通孔を少なくとも１個以上有する第一の物品保持部及び、当該帯状部材の前記長手方向に交差する方向に延びる挿通孔を少なくとも１個以上有する第二の物品保持部が配備されている
ことを特徴とする物品保持用補助具。
【請求項２】
一側が前記帯状部材の前記長手方向に交差して前記帯状部材の前記一面側に取り付けられている前記掛止環は、一側が前記帯状部材の前記長手方向に直交して前記帯状部材の前記一面側に取り付けられているものであることを特徴とする請求項１記載の物品保持用補助具。
【請求項３】
第一の物品保持部が有する前記帯状部材の前記長手方向に沿って延びる挿通孔は、前記帯状部材の前記長手方向に延びるものであることを特徴とする請求項１又は２記載の物品保持用補助具。
【請求項４】
第二の物品保持部が有する前記帯状部材の前記長手方向に交差する方向に延びる挿通孔は、前記帯状部材の前記長手方向に直交する方向に延びるものであることを特徴とする請求項１乃至３のいずれか一項記載の物品保持用補助具。
【請求項５】
第一の物品保持部の前記挿通孔は弾性を有する部材によって形成されていることを特徴とする請求項１乃至４のいずれか一項記載の物品保持用補助具。
【請求項６】
第二の物品保持部の前記挿通孔は弾性を有する部材によって形成されていることを特徴とする請求項１乃至５のいずれか一項記載の物品保持用補助具。
【請求項７】
請求項１乃至６のいずれか一項記載の物品保持用補助具における帯状部材の一端側を前記一面側の反対側にあたる他面側に湾曲させて当該帯状部材をリング状にし、当該帯状部材の他端側の前記一面側に配備されている前記掛止環の溝部に当該帯状部材の一端側先頭を挿入して折り返し、当該溝部を挿通して折り返された側に位置している前記掛着部材と、当該溝部に挿通されないでいる側に位置している前記掛着部材とを互いに掛着させたことを特徴とする物品保持用補助具。
【請求項８】
帯状部材の一端側の一面側に前記長手方向の所定の長さに渡って設けられている掛着部材は面ファスナーであることを特徴とする請求項１乃至７のいずれか一項記載の物品保持用補助具。
【考案の詳細な説明】
【技術分野】
【０００１】
この発明は、物品保持用補助具に関し、特に、人間の手に装着して使用され、絵筆や、化粧用の筆、箸などの食事用用具、等の物品を保持する際に使用される物品保持用補助具に関する。特に、身体の機能に障害を有する人にとって使用しやすい、簡素な構造、形態からなる物品保持用補助具に関する。
【背景技術】
【０００２】
身体の機能に障害を有する人が箸や食器を保持する動作を補助する物品保持用補助具としては従来から種々のものが提案されている。例えば、特開平１１−２２６０４０号公報には、障害を有する手に装着可能な補助具本体と、該補助具本体に着脱自在に取付可能な箸保持具または食器保持具とにより設けられた手障害者のための生活補助具が提案されている。この手障害者用生活補助具は、補助具本体と、箸保持具と、食器保持具とから構成されており、補助具本体は、手首に装着するための装着部材と、箸保持具等を連結するための筒状体とにより構成され、箸保持具は、補助具本体の筒状体に取付可能な嵌入軸と、箸を保持するための固定側箸保持体と回動側箸保持体、固定側基板と回動側基板および回動側箸保持体に保持された箸を回動するための回動機構とにより構成され、食器保持具は、補助具本体の筒状体に取付可能な嵌入軸と、食器支持用アームおよび皿体、該食器支持用アームの端部を挿着したアーム摺動用筒体とにより形成し、このアーム摺動用筒体内に設けられた上下動機構により、食器支持用アームを上下移動または固定可能に構成されているものであった。
【特許文献１】特開平１１−２２６０４０号公報
【考案の開示】
【考案が解決しようとする課題】
【０００３】
本考案は、人間の手に装着して使用される物品保持用補助具であって、簡素な構造、形態からなり、手への装着、手からの取り外しを簡単に行うことができ、絵筆や、化粧用の筆、箸などの食事用用具、等の物品を保持する位置を、手の甲の側、手のひらの側のいずれにも任意に設定することが可能で、身体の機能に障害を有する人であっても簡単に使用することができる物品保持用補助具を提案することを目的としている。
【課題を解決するための手段】
【０００４】
前記課題を解決するため、この考案が提案する物品保持用補助具は、添付図面を参照して説明すると以下の構成からなるものである。
【０００５】
この考案の物品保持用補助具１は、長手方向（図１、図２中、左右方向）に延びる帯状部材２からなるものである。
【０００６】
この帯状部材２の一端側（図１、図２中、左側）２ａの一面側（図２中、上側）に、前記長手方向（図１、図２中、左右方向）の所定の長さに渡って掛着部材３が設けられている。
【０００７】
そして、帯状部材２の他端側（図１、図２中、右側）２ｂの前記一面側（図２中、上側）に、帯状部材２の前記長手方向（図１中、左右方向）に交差するように、中央に帯状部材２の前記一端側２ａが挿通可能な溝部４を有する掛止環５の一側（図２中、下側）が、当該溝部４を間に挟んで対向する当該掛止環５の他側（図２中、上側）が当該帯状部材２の前記一面側（図２中、上側）において当該帯状部材２の前記一面（図２中、上側面）から離れて存在するように、当該帯状部材２の前記一面側（図２中、上側）に取り付けられている。
【０００８】
更に、帯状部材２の前記一面側（図２中、上側）における掛着部材３が設けられている部分と、掛止環５が取り付けられている位置との間に、帯状部材２の前記長手方向（図１中、左右方向）に沿って延びる挿通孔７を少なくとも１個以上有する第一の物品保持部６及び、当該帯状部材２の前記長手方向（図１中、左右方向）に交差する方向に延びる挿通孔９ａ、９ｂ、９ｃを少なくとも１個以上有する第二の物品保持部８が配備されている。
【０００９】
このような構成からなる本考案の物品保持用補助具１は、帯状部材２の一端側２ａを前記一面側（図２中、上側）の反対側にあたる他面側（図２中、下側）に、図２中、矢印１２ａのように湾曲させて、帯状部材２を図３図示のようにリング状にし、帯状部材２の他端側２ｂの前記一面側（（図２中、上側）に配備されている掛止環５の溝部４に、図２中、矢印１２ｂのように帯状部材２の一端側２ａの先頭を挿入して、図２、図３中、矢印１２ｃのように折り返し、溝部４を挿通して折り返された側に位置している掛着部材３ａと、溝部４に挿通されないでいる側に位置している掛着部材３ｂとを互いに掛着させて、図４図示のように、人間の手に装着して使用する。
【００１０】
この状態で、化粧用筆、絵筆、箸などの食事用用具などの物品１１ａ、１１ｂ、１１ｃを、図４図示のように、第一の物品保持部６の挿通孔７、第二の物品保持部８の挿通孔９ａ、９ｂに挿入して保持することができるものである。
【００１１】
前述した本考案の物品保持用補助具１において、一側（図２中、下側）が帯状部材２の前記長手方向（図１中、左右方向）に交差して帯状部材２の前記一面側（図２中、上側）に取り付けられている掛止環５は、図１図示のように、一側（図２中、下側）が帯状部材２の長手方向（図１中、左右方向）に直交して帯状部材２の前記一面側（図２中、上側）に取り付けられている形態にすることができる。
【００１２】
図１図示のように直交して取り付けられていれば、図３図示のように、図２図示の形態から帯状部材２をリング状にし、帯状部材２の他端側２ｂの前記一面側（図２中、上側）に配備されている掛止環５の溝部４に、図２中、矢印１２ｂのように、帯状部材２の一端側２ａの先頭を挿入して、図２、図３中、矢印１２ｃのように折り返し、溝部４を挿通して折り返された側に位置している掛着部材３ａと、溝部４に挿通されないでいる側に位置している掛着部材３ｂとを互いに掛着させて、図４図示のように、人間の手に装着する動作を簡単に行うことができる。
【００１３】
また、前述した本考案の物品保持用補助具１において、第一の物品保持部６が有する帯状部材２の前記長手方向（図１中、左右方向）に沿って延びる挿通孔７は、図１、図２図示のように、帯状部材２の前記長手方向（図１中、左右方向）に延びる形態にすることができる。
【００１４】
かかる形態にすれば、図４図示のように本考案の物品保持用補助具１を人間の手に装着した状態で、物品１１ａを親指と人差し指との間を延びる方向に保持することができる。
【００１５】
更に、前述した本考案の物品保持用補助具１において、第二の物品保持部８が有する帯状部材２の前記長手方向（図１中、左右方向）に交差する方向に延びる挿通孔９ａ、９ｂ、９ｃは、帯状部材２の前記長手方向（図１中、左右方向）に直交する方向に延びる形態にすることができる。
【００１６】
かかる形態にすれば、図４図示のように本考案の物品保持用補助具１を人間の手に装着した状態で、物品１１ｂ、１１ｃを中指、薬指が延びる方向、すなわち、帯状部材２の長手方向（図１中、左右方向）に延びる挿通孔７によって親指と人差し指との間を延びる方向になっている物品１１ａが保持されている方向に交差する方向で、物品１１ｂ、１１ｃを保持することができる。
【００１７】
前述した本考案の物品保持用補助具１において、第一の物品保持部６の挿通孔７、第二の物品保持部８の挿通孔９ａ、９ｂ、９ｃは、それぞれ、ゴム部材のような弾性を有する部材６ａ、８ａ、８ｂ、８ｃによって形成することができる。
【００１８】
かかる形態にすれば、ゴム部材のような弾性を有する部材６ａ、８ａ、８ｂ、８ｃの弾性力によって、物品１１ａ、１１ｂ、１１ｃを確実に保持することができ、また、物品１１ａ、１１ｂ、１１ｃの径などの大きさが種々異なる場合にも柔軟に対応することができ、特に大きな力を要することなく、簡単に、物品１１ａ、１１ｂ、１１ｃを、ゴム部材のような弾性を有する部材６ａ、８ａ、８ｂ、８ｃからなる挿通孔７、９ａ、９ｂ、９ｃに挿入することができる。
【００１９】
特に、第二の物品保持部８の挿通孔９ａ、９ｂ、９ｃをゴム部材のような弾性を有する部材８ａ、８ｂ、８ｃによって形成することにより、物品１１ｂ、１１ｃが図４図示のように挿入され、保持されている状態以外の時には、第二の物品保持部８を図２、図３図示のように扁平な状態に維持しておくことができるので、デザイン的にも優れたものにすることができる。
【００２０】
以上説明した本考案の物品保持用補助具１は、いずれも、前述したように、帯状部材２の一端側２ａを前記一面側（図２中、上側）の反対側にあたる他面側（図２中、下側）に、図２中、矢印１２ａのように湾曲させて、帯状部材２を図３図示のようにリング状にし、帯状部材２の他端側２ｂの前記一面側（図２中、上側）に配備されている掛止環５の溝部４に、図２中、矢印１２ｂのように、帯状部材２の一端側２ａの先頭を挿入して、図２、図３中、矢印１２ｃのように折り返し、溝部４を挿通して折り返された側に位置している掛着部材３ａと、溝部４に挿通されないでいる側に位置している掛着部材３ｂとを互いに掛着させ、図４図示のように、人間の手に装着して使用するものである。
【００２１】
図４図示の形態では、手の甲の側に第一の物品保持部６、第二の物品保持部８が表れるようになっているが、本考案の物品保持用補助具１は前述したようにして手に装着されるものであるから、手のひらの側に第一の物品保持部６、第二の物品保持部８が表れるようにして使用することも可能である。
【００２２】
また、以上説明した本考案のいずれの物品保持用補助具１においても、帯状部材２の一端側２ａの一面側（図２中、上側）に前記長手方向（図１、図２中、左右方向）の所定の長さに渡って設けられている掛着部材３は面ファスナーにすることができる。
【００２３】
面ファスナーを用いることにより、前述したように、帯状部材２の一端側２ａを前記一面側（図２中、上側）の反対側にあたる他面側（図２中、下側）に、図２中、矢印１２ａのように湾曲させて、帯状部材２を図３図示のようにリング状にし、帯状部材２の他端側２ｂの前記一面側（図２中、上側）に配備されている掛止環５の溝部４に、図２中、矢印１２ｂのように、帯状部材２の一端側２ａの先頭を挿入して、図２、図３中、矢印１２ｃのように折り返し、溝部４を挿通して折り返された側に位置している掛着部材３ａと、溝部４に挿通されないでいる側に位置している掛着部材３ｂとを互いに掛着させ、図４図示のように、人間の手に装着する動作を簡単に行うことができる。
【００２４】
例えば、図３図示のように、帯状部材２の一端側２ａを前記一面側（図２中、上側）の反対側にあたる他面側（図２中、下側）に、図２中、矢印１２ａのように湾曲させて、帯状部材２を図３図示のようにリング状にし、帯状部材２の他端側２ｂの前記一面側（図２中、上側）に配備されている掛止環５の溝部４に、図２中、矢印１２ｂのように、帯状部材２の一端側２ａの先頭を挿入した状態にしておけば、あとは、口で帯状部材２の一端側２ａを咥えて、物品保持用補助具１を手に装着し、長さ（図３図示のようなリング状の状態の径）を適宜調節しながら、帯状部材２の一端側２ａを、図２、図３中、矢印１２ａのように折り返し、溝部４を挿通して折り返された側に位置している掛着部材３ａと、溝部４に挿通されないでいる側に位置している掛着部材３ｂとを互いに掛着させ、図４図示のように、人間の手に装着する動作を簡単に行うことができる。そこで、身体の機能に障害を有する人であっても、簡単に本考案の物品保持用補助具１を使用することができる。
【考案の効果】
【００２５】
この考案によれば、人間の手に装着して使用される物品保持用補助具であって、簡素な構造、形態からなり、手への装着、手からの取り外しを簡単に行うことができ、絵筆や、化粧用の筆、箸などの食事用用具、等の物品を保持する位置を、手の甲の側、手のひらの側のいずれにも任意に設定することが可能で、身体の機能に障害を有する人であっても簡単に使用することができる物品保持用補助具を提供することができる。
【考案を実施するための最良の形態】
【００２６】
以下、添付図面を参照して本考案の好ましい実施形態を説明する。
【００２７】
長手方向（図１、図２中、左右方向）の長さが３８ｃｍの帯状部材２の一端側（図１、図２中、左側）２ａの図２中、上側面に、長手方向に１５ｃｍの長さに渡って面ファスナー３を装着する。
【００２８】
帯状部材２の他端側（図１、図２中、右側）２ｂの図２中、上側面には、合成樹脂製の掛止環５が、帯状部材２の長手方向（図１中、左右方向）に直交するように、取り付けられている。掛止環５は、中央に帯状部材２の一端側２ａが挿通可能な溝部４を備えている。そして、掛止環５の一側（図２中、下側）が、溝部４を間に挟んで対向する掛止環５の他側（図２中、上側）が、帯状部材２の図２中、上側面において帯状部材２の図２中、上側面から離れて存在するように、帯状部材２の図２中、上側面に取り付けられている。
【００２９】
帯状部材２の図２中、上側面における面ファスナー３が設けられている部分と、掛止環５が取り付けられている位置との間に、第一の物品保持部６と、第二の物品保持部８とが配備されている。
【００３０】
第一の物品保持部６は、帯状部材２の長手方向（図１中、左右方向）に沿って延びる（図示の形態では、帯状部材２の長手方向に延びている）挿通孔７を少なくとも１個以上備えている。図示の形態では、挿通孔７は一個のみ備えられているが、複数個備えることが可能である。
【００３１】
第二の物品保持部８は、帯状部材２の長手方向（図１中、左右方向）に交差する方向に延びる（図示の形態では、帯状部材２の長手方向に直交する方向に延びている）挿通孔９ａ、９ｂ、９ｃを少なくとも１個以上備えている。図示の形態では、３個の挿通孔が備えられているが、一個のみ、あるいは２個のみ、等々、第二の物品保持部８に配備する挿通孔９ａ、９ｂ、９ｃの数は任意である。図示の例のように、複数個の挿通孔９ａ、９ｂ、９ｃを配備し、しかもそれぞれ大きさ（径）が異なるようにすれば、大きさ（径）の異なる複数の物品１１ｂ、１１ｃを保持する上で有利である。
【００３２】
第一の物品保持部６の挿通孔７、第二の物品保持部８の挿通孔９ａ、９ｂ、９ｃは、それぞれ、弾性を有するゴム部材６ａ、８ａ、８ｂ、８ｃによって形成されている。第二の物品保持部８の挿通孔９ａ、９ｂ、９ｃがゴム部材８ａ、８ｂ、８ｃによって形成されていることにより、通常は（すなわち、物品を保持していない状態では）、第二の物品保持部８は図２、図３図示のように扁平な状態に維持されている。
【００３３】
本考案の物品保持用補助具１は、帯状部材２の一端側２ａを図２中、上側の反対側にあたる図２中、下側に、図２中、矢印１２ａのように湾曲させて、帯状部材２を図３図示のようにリング状にし、帯状部材２の他端側２ｂの図２中、上側に配備されている掛止環５の溝部４に、図２中、矢印１２ｂのように帯状部材２の一端側２ａの先頭を挿入して、図２、図３中、矢印１２ｃのように折り返し、溝部４を挿通して折り返された側に位置している面ファスナー３ａと、溝部４に挿通されないでいる側に位置している面ファスナー３ｂとを互いに掛着させ、図４図示のように人間の手に装着して使用する。
【００３４】
面ファスナー３が使用されていることにより、図３図示のように、帯状部材２の一端側２ａを図２中、上側の反対側にあたる図２中、下側に、図２中、矢印１２ａのように湾曲させて、帯状部材２を図３図示のようにリング状にし、図２中、矢印１２ｂのように、帯状部材２の他端側２ｂの図２中、上側に配備されている掛止環５の溝部４に帯状部材２の一端側２ａの先頭を挿入した状態にしておけば、あとは、口で帯状部材２の一端側２ａを咥えて、物品保持用補助具１を手に装着し、長さ（図３図示のようなリング状の状態の径）を適宜調節しながら、帯状部材２の一端側２ａを、図２、図３中、矢印１２ｃのように折り返し、溝部４を挿通して折り返された側に位置している面ファスナー３ａと、溝部４に挿通されないでいる側に位置している面ファスナー３ｂとを互いに掛着させ、図４図示のように、人間の手に装着する動作を簡単に行うことができる。そこで、身体の機能に障害を有する人であっても、簡単に本考案の物品保持用補助具１を使用することができる。
【００３５】
なお、帯状部材２の面ファスナー３が配備されている部分をゴム材のような伸縮可能な部材で構成しておけば、図１、図２中、符号２ｃで表す部分が延び縮みできるので、前記のように、口で帯状部材２の一端側２ａを咥えて本考案の物品保持用補助具１を手に装着する場合に有利である。
【００３６】
図４図示のように、人間の手に装着した本考案の物品保持用補助具１に対しては、第一の物品保持部６が有する挿通孔７が帯状部材２の長手方向（図１中、左右方向）に延びているので、本考案の物品保持用補助具１を人間の手に装着した状態で、物品１１ａを親指と人差し指との間を延びる方向に保持することができる。
【００３７】
また、第二の物品保持部８が有する挿通孔９ａ、９ｂは、帯状部材２の長手方向（図１中、左右方向）に直交する方向に延びているので、本考案の物品保持用補助具１を人間の手に装着した状態で、物品１１ｂ、１１ｃを中指、薬指が延びる方向、すなわち、帯状部材２の長手方向（図１中、左右方向）に延びる挿通孔７によって親指と人差し指との間を延びる方向になっている物品１１ａが保持されている方向に交差する方向で、物品１１ｂ、１１ｃを保持できる。
【００３８】
なお、この際、第一の物品保持部６の挿通孔７、第二の物品保持部８の挿通孔９ａ、９ｂは弾性を有するゴム部材から形成されているので、物品１１ａ、１１ｂ、１１ｃの径などの大きさが種々異なる場合にも柔軟に対応することができ、特に大きな力を要することなく、簡単に、物品１１ａ、１１ｂ、１１ｃを挿通孔７、９ａ、９ｂに挿入することができ、ゴム部材６ａ、８ａ、８ｂの弾性力によって、物品１１ａ、１１ｂ、１１ｃを確実に保持することがでる。
【００３９】
図４図示の形態では、手の甲の側に第一の物品保持部６、第二の物品保持部８が表れるようになっているが、本考案の物品保持用補助具１は前述したようにして手に装着することができるので、手のひらの側に第一の物品保持部６、第二の物品保持部８が表れるようにして使用することも可能である。
【図面の簡単な説明】
【００４０】
【図１】本考案の物品保持用補助具の一例を表す平面図。
【図２】図１の側面図。
【図３】図１図示の物品保持用補助具がリング状にされた状態の斜視図。
【図４】図１図示の物品保持用補助具が手に装着され、物品が保持されている状態の一例を説明する斜視図。
【符号の説明】
【００４１】
１    物品保持用補助具
２    帯状部材
２ａ  帯状部材の一端側
２ｂ  帯状部材の他端側
３    掛着部材（面ファスナー）
３ａ  掛着部材（面ファスナー）
３ｂ  掛着部材（面ファスナー）
４    溝部
５    掛止環
６    第一の物品保持部
６ａ  弾性を有する部材（ゴム部材）
７    挿通孔
８    第二の物品保持部
８ａ、８ｂ、８ｃ  弾性を有する部材（ゴム部材）
９ａ、９ｂ、９ｃ  挿通孔
１１ａ、１１ｂ、１１ｃ  物品
【図１】
0003103877.tif 000003
【図２】
0003103877.tif 000004
【図３】
0003103877.tif 000005
【図４】
0003103877.tif 000006